(57)【要約】      （修正有）【課題】窓ガラスに貼り付けて窓ガラスを装飾する装飾体であって、装飾体があっても内部空間が薄暗くなることなく、また、容易に該装飾体を取り替えることができる装飾体を提供する。【解決手段】窓ガラス５に付着させて、窓ガラス５を装飾する装飾体１であって、窓ガラス５の内周部に付着されるガラス面付着部と、窓ガラス５の内部方向に前記ガラス面付着部と結合して設けられた装飾部と、を有する。また、装飾部は、ロートアイアン形状からなるものなので、外部から入ってくる太陽光がロートアイアン形状からなる装飾部の隙間から内部空間に入り、内部空間を太陽光により明るい状態にすることができる。【選択図】図４
0003178241.tif 000002
【実用新案登録請求の範囲】
【請求項１】
窓ガラスに付着させて、窓ガラスを装飾する装飾体であって、
窓ガラスのガラス面の内周部に付着されるガラス面付着部と、
窓ガラスの内部方向に前記ガラス面付着部と結合して設けられた装飾部と、を有し、
前記装飾部は、ロートアイアン形状からなる装飾体。
【請求項２】
窓ガラスのガラス面の内周部に接着される磁石と付着する金属からなるガラス面接着体を、さらに設け、
前記ガラス面付着部は、前記ガラス面接着体と接する面に磁石が設けられていることを特徴とする請求項１記載の装飾体。
【請求項３】
前記ガラス面付着部は、窓ガラスのガラス面の内周部に複数部を一列に配して設けられていることを特徴とする請求項１または請求項２に記載の装飾体。
【請求項４】
前記装飾部は、プラスチックを材質として成形されていることを特徴とする請求項１〜請求項３のいずれか１項に記載の装飾体。
【請求項５】
ショーウインドウに付着させて、ショーウインドウを装飾する装飾体であって、
ショーウインドウの平面ガラス面の内周部に付着されるガラス面付着部と、
ショーウインドウの平面ガラス面の内部方向に前記ガラス面付着部と結合して設けられた装飾部と、を有し、
前記装飾部は、ロートアイアン形状からなる装飾体。
【考案の詳細な説明】
【技術分野】
【０００１】
本考案は、窓ガラスに付着させて、窓ガラスを装飾する装飾体に関する。
【背景技術】
【０００２】
従来から、窓ガラスに付着させて、窓ガラスを装飾する装飾体が知られている。
【０００３】
この種の装飾体として、窓や自動車のボディー等に任意のデザインに貼り付けて装飾するためのガラス製装飾品が従来から知られている。このガラス製装飾品は、板状のガラスを任意のデザインにカットし、角取り加工をし、接着剤で窓ガラスに貼り付けて装飾するものであった（例えば、特許文献１）。
【０００４】
また、彫刻による装飾を施した自動車の窓ガラスというものも従来から知られている。この自動車の窓ガラスは、自動車の窓ガラスの表面に、ガラス工芸で使用するサンド・ブラスト機を使い、圧搾空気で砂を吹き付けることによりガラスを削り、文字、絵の装飾を施すものであった（例えば、特許文献１）。
【先行技術文献】
【特許文献】
【０００５】
【特許文献１】特開２０１１−７３４２７号公報
【特許文献２】特開２００１−２２０９６０号公報
【考案の概要】
【考案が解決しようとする課題】
【０００６】
しかしながら、従来のいずれの装飾体も、窓ガラスのガラス面の内周部だけでなく、窓ガラスのガラス面の中央部に近い部分も覆うものであるので、その装飾体が外部から入ってくる太陽光を遮り内部空間に太陽光が入ってこなくなり、内部空間が薄暗くなるという問題があった。
【０００７】
また、板状のガラスをカットして、接着剤で窓ガラスに貼り付ける特許文献１の技術では、窓ガラスに貼り付けたガラス製装飾品を剥がす際に手間が大きかった。さらに、自動車の窓ガラスに彫刻による装飾を施した特許文献２の技術については、一度彫刻による装飾を施すと他の装飾に変えるには、窓ガラス全体を交換せざるを得なかった。
【０００８】
本考案は、上記問題点に鑑みてなされたもので、内部空間を明るくすることができるとともに、取替えが容易である装飾体を提供することを目的とする。
【課題を解決するための手段】
【０００９】
上記課題を解決し上記目的を達成するために、本考案のうち第１の態様に係るものは、  窓ガラスに付着させて、窓ガラスを装飾する装飾体であって、窓ガラスのガラス面の内周部に付着されるガラス面付着部と、窓ガラスの内部方向にガラス面付着部と結合して設けられた装飾部と、を有し、装飾部は、ロートアイアン形状からなるものである。
【００１０】
本考案によれば、窓ガラスのガラス面の内周部にガラス面付着部を付着させ、そのガラス面付着部から窓ガラスの内部方向にロートアイアン形状からなる装飾部を設けているので、外部から入ってくる太陽光がロートアイアン形状からなる装飾部の隙間から内部空間に入り、内部空間を太陽光により明るい状態にすることができる。また、窓ガラスのガラス面の内周部のガラス面付着部を取り外すことにより、装飾体を容易に取替えることができる。さらに、ガラス面付着部が窓ガラスのガラス面の内周部に付着されているので、ガラス面付着部により装飾体の装飾性を損なわせることなく、ロートアイアン形状からなる装飾部により鮮やかな装飾性を発揮させることができる。
【００１１】
本考案のうち第２の態様に係るものは、第１の態様に係る装飾体であって、窓ガラスのガラス面の内周部に接着される磁石と付着する金属からなるガラス面接着体を、さらに設け、ガラス面付着部は、ガラス面接着体と接する面に磁石が設けられていることを特徴とするものである。
【００１２】
本考案によれば、ガラス面付着部の磁石が窓ガラスのガラス面の内周部に接着されているガラス面接着体と付着するので、装飾体を窓ガラスから容易に取り外すことができるとともに、取り付けることができる。これにより、窓ガラスの模様替え（デザイン変更）を容易に行うことができる。
【００１３】
本考案のうち第３の態様に係るものは、第１の態様または第２の態様に係る装飾体であって、ガラス面付着部は、窓ガラスのガラス面の内周部に複数部を一列に配して設けられていることを特徴とするものである。
【００１４】
本考案によれば、ガラス面付着部は、窓ガラスのガラス面の内周部に複数部を一列に配して設けられているので、ガラス面付着部により装飾体の装飾性を損なわせることなく、ロートアイアン形状からなる装飾部により鮮やかな装飾性を発揮させることができる。
【００１５】
本考案のうち第４の態様に係るものは、第１の態様〜第３のいずれか態様に係る装飾体であって、装飾部は、プラスチックを材質として成形されているものである。
【００１６】
本考案によれば、装飾部は、プラスチックを材質として成形されているので、装飾部が軽量となり、ガラス面付着部により装飾体を安定して窓ガラスに付着させることができる。
【考案の効果】
【００１７】
本考案の装飾体によれば、内部空間を明るくすることができるとともに、装飾体の取替えも容易に行うことができる。
【図面の簡単な説明】
【００１８】
【図１】（ａ）  本考案の第１の実施形態における装飾体の正面斜視図である。            （ｂ）  同装飾体の裏面斜視図である。
【図２】同装飾体の裏面図である。
【図３】図２のＡ−Ａ断面図である。
【図４】（ａ）窓ガラスに取り付けた装飾体のガラス面接着体の正面図である。            （ｂ）同装飾体の装飾部の正面図である。
【図５】ショーウインドウに取り付けた装飾体の正面図である。
【図６】本考案の変形例１における装飾体を窓ガラスに取り付けた図である。
【考案を実施するための形態】
【００１９】
以下、本考案にかかる装飾体の第１の実施形態について図面を参照にしながら説明する。ここで、図１（ａ）は本考案の第１の実施形態における装飾体の正面斜視図であり、図１（ｂ）は同装飾体の裏面斜視図であり、図２は同装飾体の裏面図であり、図３は図２のＡ−Ａ断面図である。
【００２０】
図１〜図３に示すように、装飾体１は、ガラス面付着部２と、装飾部３とを有している。
【００２１】
ガラス面付着部２は、プラスチックを材質として成形され、窓ガラスに付着される面に磁石４が設けられている（図２参照）。ガラス面付着部２は、一辺が長い直方体形状をしている。なお、本実施形態では、ガラス面付着部２をプラスチックを材質をして成形させたが、他の材料と材質として成形してもよい。
【００２２】
装飾部３は、プラスチックを材質として成形され、ガラス面付着部２と接着剤により結合して設けられている。なお、本実施形態では、ガラス面付着部２と装飾部３とを接着剤により結合させたが、他の結合方法でもよく、ガラス面付着部２と装飾部３とが一体的に形成されるものであってもよい。装飾部３は、ロートアイアン形状（アイアンワーク形状ともいう）をしている。ここで、ロートアイアン形状とは、棒状部材を曲げたり、捻ったり、伸ばしたりなどして加工して成形されるもので、装飾が施された門扉やフェンス等のエクステリア、表札や看板やポスト等の小物などに利用されているロートアイアンの形状のことである。特に、本実施形態のロートアンアン形状として、ツタ柄、唐草模様の形状が最適な形状である。本実施形態の装飾部３は、プラスチックを材質として成形されているので、プラスチックのロートアイアン風建材ということもできる。なお、本実施形態では、装飾部３をプラスチックを材質をして成形させたが、これに限らず、アルミやステンレスなどの他の材料を材質として成形してもよい。
【００２３】
次に、本考案の一実施形態における装飾体を窓ガラスに付着させた場合について、図４を参照にしながら説明する。ここで、図４（ａ）は窓ガラスに取り付けた装飾体のガラス面接着体の正面図であり、図４（ｂ）は同装飾体の装飾部の正面図である。
【００２４】
窓ガラス５のガラス面の内周部にガラス面接着体６が接着剤により接着されている。そして、装飾体１のガラス面付着部２の一面に設けられた磁石４を４００系ステンレス製のガラス面接着体６に付着させることにより、装飾体１が窓ガラス５に付着される。具体的には、同形状をした装飾体１を窓ガラス５の内周部に複数部を一列にして配置させ、窓ガラス５の角部にはガラス面付着部２のみからなる角部材７が配置されている。このように、ガラス面付着部２を窓ガラス５の内周部に複数部を一列に配置して窓ガラス５に装飾体１が取り付けられているので、ガラス面付着部２により装飾体１の装飾性を損なわせることなく、ロートアイアン形状からなる装飾部３により鮮やかな装飾性を発揮させることができる。ここで、本実施形態では、左側の窓ガラス５についてはガラス面奥側にガラス面接着体６、ガラス面付着部２および装飾部３が取り付けられ、右側の窓ガラス５についてはガラス面手前側にガラス面接着体６、ガラス面付着部２および装飾部３が取り付けられているが、これに限定されるものではなく、ガラス面接着体６、ガラス面付着部２および装飾部３のいずれもガラス面奥側またはガラス面手前側に取り付けるようにしてもよい。なお、本実施形態では、窓ガラス５の角部に角部材７を配置させたが、装飾体１同士を窓ガラス５の角部に直接接触させるようにして配置してもよい。また、本実施形態では、窓ガラス５に装飾体１を付着させたが、これに限らず、ショーウインドウ８に同様の方法で、装飾体１を取り付けることもできる（図５参照）。ここで、図５は、ショーウインドウに取り付けた装飾体の正面図である。
【００２５】
なお、今回開示された実施の形態はすべての点で例示であって制限的なものではないと考えられるべきである。さらに本考案の範囲は、上記した説明ではなく特許請求の範囲の記載によって示され、特許請求の範囲と均等の意味及び範囲内でのすべての変更が含まれることが意図される。
【００２６】
次に本考案の変形例について説明する。
【００２７】
(変形例１)
本実施形態では、装飾体１を窓ガラス５の内周部全体（一周）に配したが、変形例１のように、装飾体１を窓ガラス５の内周部一部に配するようにしてもよい（図６参照）。ここで、図６は、本考案の変形例１における装飾体を窓ガラスに取り付けた図である。なお、変形例１では、窓ガラス５について説明したが、これに限らず、ショーウインドウ８についても同様方法で取り付けるようにしてもよい。また、図６に示すように、装飾体１が取り付けられていない箇所にガラス面付着部２のみからなる棒部材９を設けてもよい（ショーウインドウ８についても同様）。このようにすることにより、窓ガラス５に接着されているガラス面接着体６が直接見えず、棒部材９により装飾効果を高めることができる。
【符号の説明】
【００２８】
１  装飾体
２  ガラス面付着部
３  装飾部
４  磁石
５  窓ガラス
６  ガラス面接着体
７  角部材
８  ショーウインドウ
９  棒部材
【図１】
0003178241.tif 000003
【図２】
0003178241.tif 000004
【図３】
0003178241.tif 000005
【図４】
0003178241.tif 000006
【図５】
0003178241.tif 000007
【図６】
0003178241.tif 000008